(57)【要約】  本発明は、巻き取りコア（２１）と前記巻き取りコア（２１）上に配置されるフィルムリール（２２）とを含むフィルムロール（２）を受け支えて固定するための固定装置（１）に関する。前記固定装置（１）は、前記フィルムロール（２）が前記固定装置（１）に挿入可能であり、または、前記固定装置（１）から取り外し可能である、開放位置から、前記フィルムロール（２）が前記固定装置（１）に固定される、固定位置へ、移行可能である。前記固定装置（１）は、互いの間で同じ角距離オフセットされて長手方向に配置される溝（１１ｎ）を備える溝付きシャフト（１１）と、リングナット（１２）及びロックナット（１４）から形成されるねじ機構と、互いの間で同じ角距離半径方向にオフセットされて配置される固定レバー（１６）と、を含む。前記ねじ機構の駆動部材は、前記固定装置（１）の前記固定位置において、前記固定レバー（１６）が、前記溝付きシャフト（１１）の前記溝（１１ｎ）の底部と前記巻き取りコア（２１）の内壁とに乗り、これにより、固定力を生じるように、固定レバー（１６）と相互に作用する。
2016503371.tif 000002
【特許請求の範囲】
【請求項１】
フィルムロール（２）を受け支えて固定するための固定装置（１）であって、
巻き取りコア（２１）と、前記巻き取りコア（２１）上に配置されるフィルムリール（２２）とを含み、前記固定装置（１）が、前記フィルムロール（２）が前記固定装置（１）に挿入可能であり、または、前記固定装置（１）から取り外し可能である、開放位置から、前記フィルムロール（２）が前記固定装置（１）に固定される、固定位置へ、移行可能であり、
前記固定装置（１）が、同じ角距離オフセットされて長手方向に配置される溝（１１ｎ）を備える溝付きシャフト（１１）と、リングナット（１２）及びロックナット（１４）から形成されるねじ機構と、同じ角距離半径方向にオフセットされて配置される固定レバー（１６）と、を含み、
前記ねじ機構の駆動部材が、前記固定装置（１）が前記固定位置にある場合、前記固定レバー（１６）が、前記溝付きシャフト（１１）の前記溝（１１ｎ）の底部と前記巻き取りコア（２１）の内壁とを圧して、固定力を形成するように、前記固定レバー（１６）と相互に作用すること、
を特徴とする固定装置。
【請求項２】
前記ロックナット（１４）が、前記ねじ機構の前記駆動部材であること、
を特徴とする請求項１に記載の固定装置。
【請求項３】
前記溝付きのシャフト（１１）が、120°オフセットされて長手方向に配置される三つの溝（１１ｎ）を有し、該溝に、120°オフセットされて半径方向に配置される三つの固定レバー（１６）が噛み合うこと、
を特徴とする請求項１または２に記載の固定装置。
【請求項４】
前記リングナット（１２）が、120°オフセットされて半径方向に配置される三つの溝形状の保持凹部（１２ａ）を有し、該保持凹部が前記固定レバー（１６）のピボット軸受けを形成するとともに、
前記ロックナット（１４）が、その外周面に、120°オフセットされて配置される三つの溝形状の位置決め凹部（１４ａ）を有し、該位置決め凹部に前記固定レバー（１６）が噛み合うこと、
を特徴とする請求項３に記載の固定装置。
【請求項５】
前記固定レバー（１６）が、第一のレバーアームと第二のレバーアームとを備えるＴ字型の角度レバーとして形成され、前記第二のレバーアームが、前記第一のレバーアームから突出し、前記第一のレバーアームを、長い区画と短い区画とに分割すること、
を特徴とする請求項４に記載の固定装置。
【請求項６】
前記固定レバー（１６）の前記第一のレバーアームの前記長い区画の端部が、突出する加圧部材（１６ｄ）として形成され、前記固定装置（１）が前記固定位置にある場合に、前記巻き取りコア（２１）の前記内壁を圧し、
前記固定レバー（１６）の前記第一のレバーアームの前記短い区画が、湾曲する端部（１６ｂ）を有し、前記固定装置（１）が前記固定位置にある場合に、前記溝付きシャフト（１１）の前記溝（１１ｎ）の前記底部を圧し、
前記固定レバー（１６）の前記第二のレバーアームの湾曲して突出する中間部が、前記リングナット（１２）の溝形状の前記保持凹部（１２ａ）と噛み合い、
前記固定レバー（１６）の前記第二のレバーアームの端部が、前記ロックナット（１４）の前記位置決め凹部と噛み合うこと、
を特徴とする請求項５に記載の固定装置。
【請求項７】
前記リングナット（１２）及び前記ロックナット（１４）のねじが、セルフロックねじとして形成されること、
を特徴とする請求項１から６のいずれか１項に記載の固定装置。
【請求項８】
前記固定装置（１）が、前方調整ディスク（１５）と、前記フィルムロール（２）に対向する後方調整ディスク（１３）とを有し、前記前方調整ディスク（１５）が、前記ロックナット（１４）に堅固に固定されて回転し、前記後方調整ディスク（１３）が、前記リングナット（１２）に堅固に固定されて回転すること、
を特徴とする請求項１から７のいずれか１項に記載の固定装置。
【請求項９】
前記前方調整ディスク（１５）が、前記後方調整ディスク（１３）より小さい半径を有すること、
を特徴とする請求項８に記載の固定装置。
【請求項１０】
前記前方調整ディスク（１５）が、前記固定装置（１）の前記固定位置及び前記開放位置を設定するための、前記前方調整ディスク（１５）の回転方向を示すマーク（１５ｍ）を有すること、
を特徴とする請求項８または９に記載の固定装置。
【請求項１１】
前記巻き取りコア（２１）の受け取り半径を拡大する拡張セットが、前記固定装置（１）に挿入可能であること、
を特徴とする請求項１から１０のいずれか１項に記載の固定装置。
【請求項１２】
前記拡張セットが、前記リングナット（１２）に固定可能なスペーサーディスク（１７）と、前記溝付きシャフト（１１）に固定可能な支持ディスク（１９）とを含むこと、
を特徴とする請求項１１に記載の固定装置。
【請求項１３】
前記スペーサーディスク（１７）が、摩擦部材（１８）を収容するための、120°オフセットされて配置される、三つの半径方向のガイド溝を有し、前記固定装置（１９）が前記固定位置にある場合に、該摩擦部材が、前記固定レバー（１６）により、前記巻き取りコア（２１）の前記内壁を圧し、固定力を形成すること、
を特徴とする請求項１２に記載の固定装置。
【請求項１４】
前記摩擦部材（１８）が、その外周に収容溝を有し、該収容溝に、前記摩擦部材（１８）の周囲を囲むＯリング（１８ｏ）が配置されること、
を特徴とする請求項１３に記載の固定装置。
【発明の詳細な説明】
【技術分野】
【０００１】
本発明は、フィルムロールを受け支え固定する固定装置に関する。
【背景技術】
【０００２】
ホットスタンプ装置、コールドスタンプ装置、インモールドプロセスでフィルムを進める装置、または、製造中にフィルムを巻き取る装置では、できるだけ迅速かつ容易にフィルムロールを交換することが課題である。フィルムロールは、巻き取りコアと、巻き取りコア上に巻き取られるフィルムウェブとを含む。
【０００３】
鋼製の爪により、フィルムロールを受け軸に固定することが知られており、鋼製の爪は、フィルムロールの厚紙製または樹脂製の巻き取りコア内に手動で押し込まれ、巻き取りコアを受け軸に固定する。
【発明の概要】
【発明が解決しようとする課題】
【０００４】
本発明の目的は、時間の消費及び操作労力を低減した固定を可能とする、固定装置を開発することである。
【課題を解決するための手段】
【０００５】
本目的は、請求項１の主題を備える本発明により、達成される。フィルムロールを受け支えて固定するための固定装置が提案され、巻き取りコアと、前記巻き取りコア上に配置されるフィルムリールとを含み、前記固定装置が、前記フィルムロールが前記固定装置に挿入可能であり、または、前記固定装置から取り外し可能である、開放位置から、前記フィルムロールが前記固定装置に固定される、固定位置へ、移行可能であり、前記固定装置が、同じ角距離オフセットされて長手方向に配置される溝を備える溝付きシャフトと、リングナット及びロックナットから形成されるねじ機構と、同じ角距離半径方向にオフセットされて配置される固定レバーと、を含み、前記ねじ機構の駆動部材が、前記固定装置が前記固定位置にある場合、前記固定レバーが、前記溝付きシャフトの前記溝の底部と前記巻き取りコアの内壁とを圧して、固定力を形成するように、固定レバーと相互に作用すること、が提供される。
【０００６】
本発明の固定装置は、ツールなしで操作可能であり、同じ角距離オフセットされた固定レバーの配置により、固定装置上でフィルムロールを中心に置く、という利点を有する。
【０００７】
前記ロックナットが、前記ねじ機構の前記駆動部材であることが、提供されてもよい。
【０００８】
前記溝付きのシャフトが、120°オフセットされて長手方向に配置される三つの溝を有し、該溝に、120°オフセットされて半径方向に配置される三つの固定レバーが噛み合うことが、さらに提供されてもよい。
【０００９】
前記リングナットが、120°オフセットされて半径方向に配置される三つの溝形状の保持凹部を有し、該保持凹部が前記固定レバーのピボット軸受けを形成するとともに、前記ロックナットが、その外周面に、120°オフセットされて配置される三つの溝形状の位置決め凹部を有し、該位置決め凹部に前記固定レバーが噛み合うことが、さらに提供されてもよい。
【００１０】
周辺に等しく分布される（3×120°＝360°）三つの溝及びそれに噛み合う三つの固定レバーのこのような配置は、固定装置上での自己中心化効果を有利に有し、その結果、堅固な固定を妨げる傾きや他の誤った配置を防ぐことができる。
【００１１】
前記固定レバーは、第一のレバーアームと第二のレバーアームとを備えるＴ字型の角度レバーとして形成されてもよく、前記第二のレバーアームが、前記第一のレバーアームから突出し、前記第一のレバーアームを、長い区画と短い区画とに分割する。
【００１２】
前記固定レバーの前記第一のレバーアームの前記長い区画の端部が、突出する加圧部材として形成され、前記固定装置が前記固定位置にある場合に、前記巻き取りコアの前記内壁を圧し、前記固定レバーの前記第一のレバーアームの前記短い区画が、湾曲する端部を有し、前記固定装置が前記固定位置にある場合に、前記溝付きシャフトの前記溝の前記底部を圧し、前記固定レバーの前記第二のレバーアームの湾曲して突出する中間部が、前記リングナットの溝形状の前記保持凹部と噛み合い、前記固定レバーの前記第二のレバーアームの端部が、前記ロックナットの前記位置決め凹部と噛み合うことが、提供されてもよい。固定レバーは、例えば鋼板で作られるプレス加工部品として形成されることが、有利である。
【００１３】
前記リングナット及び前記ロックナットのねじは、セルフロックねじとして形成されてもよい。こうして形成されるセルフロックねじ機構は、軸方向の力により、開放位置となり得ない、という利点を有する。
【００１４】
前記固定装置が、前方調整ディスクと、前記フィルムロールに対向する後方調整ディスクとを有し、前記前方調整ディスクが、前記ロックナットに堅固に固定されて回転し、前記後方調整ディスクが、前記リングナットに堅固に固定されて回転することが、さらに提供されてもよい。ロックナット及びリングナットよりも大きい直径を好ましくは備えるこれらの調整ディスクの利用により、固定装置は、ほとんど労力をかけることなく、手動で操作することができる。調整ディスクの直径は、ロックナット及びリングナットに比べて、例えばそれぞれ2から3倍大きいため、調整板の周辺を手でつかむことができ、これにより、より強い力を、内側のロックナットとリングナットとに加えることができる。
【００１５】
前記前方調整ディスクは、前記後方調整ディスクより小さい半径を有することが有利である。手動操作中、これにより、二つの調整ディスクが互いに接近して配置されている場合でも、二つの調整ディスクを同時に操作することが容易である。また、どの調整ディスクがロックナットに関係し、どの調整ディスクがリングナットに関係するかを視覚的に識別することが容易である。代替的にまたは加えて、この視覚的な識別は、調整ディスクの異なるカラーマークにより、生じてもよい。
【００１６】
前記前方調整ディスクが、前記固定装置の前記固定位置及び前記開放位置を設定するための、前記前方調整ディスクの回転方向を示すマークを有することが、価値あることが判明している。これらのマークは、例えば、手動操作中の視覚的な識別をもサポートする、シンボルであってもよい。二つのディスクの明確な視覚的な割り当てにより、迅速でミスの少ないディスクの操作が可能である。
【００１７】
前記巻き取りコアの受け取り半径を変更する、特に拡大する拡張セットが、前記固定装置に挿入可能であることが、提供されてもよい。
【００１８】
前記拡大セットが、前記リングナットに固定可能なスペーサーディスクと、前記溝付きシャフトに固定可能な支持ディスクとを含むことが、さらに提供されてもよい。この拡張セットは、スペーサーディスクと支持ディスクとのセットを複数含んでもよい。この拡張セットにより、固定装置の外径が、スペーサーディスク及び支持ディスクの外径に応じて、特に拡大され、より大きい内径（スペーサーディスク及び支持ディスクのカスタマイズされた外径に対応する）を備える巻き取りコアが、固定装置に固定可能となる。
【００１９】
前記スペーサーディスクが、摩擦部材を収容するための、120°オフセットされて配置される、三つの半径方向のガイド溝を有し、前記固定装置が前記固定位置にある場合に、該摩擦部材が、前記固定レバーにより、前記巻き取りコアの前記内壁を圧し、固定力を形成することが、提供されてもよい。
【００２０】
前記摩擦部材は、その外周に収容溝を有し、該収容溝に、前記摩擦部材の周囲を囲むＯリングが配置されてもよい。
【００２１】
本発明は、実施形態を参照し、以下により詳細に説明される。
【図面の簡単な説明】
【００２２】
【図１】本発明による固定装置の正面図である。
【図２】図１の固定装置に固定可能なフィルムロールの概略断面図である。
【図３ａ】開放位置にある図１の固定装置の第一の実施形態の図１の切断線A-Aに沿う部分的断面図である。
【図３ｂ】固定位置にある図３ａの固定装置である。
【図４】図１の固定装置の第二の実施形態の図１の切断線A-Aに沿う断面図である。
【図５ａ】開放位置にある図４の固定装置の部分的断面図である。
【図５ｂ】固定位置にある図５ａの固定装置である。
【発明を実施するための形態】
【００２３】
図１及び図３は、巻き取りコア２１と巻き取りコア２１上に配置されるフィルムリール２２とを含むフィルムロール２（図２）を受け支え固定する、固定装置１を示す。巻き取りコア２１の内径は、1"または3"であることが好ましい。巻き取りコア２１の長さは、10 mmから1000 mmの範囲にあることが好ましい。フィルムリール２２の最大径は、300 mmであることが好ましい。
【００２４】
固定装置１は、溝付きシャフト１１と、リングナット１２と、後方調整ディスク１３と、ロックナット１４と、前方調整ディスク１５と、三つの固定レバー１６とを有する（図３）。
【００２５】
図３ａ及び図３ｂは、固定装置の第一の実施形態の、図１における切断線A-Aに沿う部分的断面図を示す。溝付きシャフト１１の長手方向軸の下方の固定装置１の部分のみが示され、固定装置の作用の詳細が観察可能である。
【００２６】
図３ａ及び図３ｂに示す固定装置１は、1"の内径を備えた巻き取りコア２１を受け支え、固定するために、提供される。
【００２７】
リングナット１２は、図４に示すように、例えば一つ以上の固定ねじ１３ｓにより、後方調整ディスク１３に堅固に固定されて回転する。リングナット１２の雄ねじは、ロックナット１４の雌ねじと噛み合う。ロックナット１４及びリングナット１２は、調整ディスク１３、１５により手動で駆動可能な、セルフロックねじ機構を形成する。後方調整ディスク１３は、フレームに固定されて形成される。前方調整ディスク１５が反時計方向に回転されると、固定装置１の固定レバー１６が開放位置となり、フィルムロール２が固定装置１に挿入可能であり、または、固定装置１から取り外し可能である。固定装置１に挿入されたフィルムロール２の巻き取りコア２１は、溝付きシャフト１１と重なり合い、端面が後方調整ディスク１３に載っている。
【００２８】
前方調整ディスク１５が時計方向に回転されると、固定装置１のクランプレバー１６が固定位置となり、フィルムロール２が固定装置１に堅固に固定されて回転する。前方調整ディスクは、その外側のエッジ部分に、操作方法を示す複数のマーク１５ｍを有する（図１）。これらのマーク１５ｍ、及び／または、例えば、配置ディスク１３、１５の異なる色の利用により、迅速でミスの少ない固定装置１の操作を行うことができる。
【００２９】
リングナット１２は、半径方向に120°オフセットされて配置される、クランプレバー１６を収容する、三つの溝形状の保持凹部１２ａを有する。リングナット１２は、カバーリング１２ｄにより、前方がカバーされる。リングナット１２及びカバーリング１２ｄは、一体成型されてもよい。
【００３０】
ロックナット１４は、前方調整ディスク１５に堅固に固定されて回転する。ロックナット１４は、以下にさらに述べるように、その外周に、120°オフセットされ、固定レバー１６が噛み合う、三つの溝形状の位置決め凹部１４ａを有する。
【００３１】
溝付きのシャフト１１は、長手方向に配置され、120°オフセットされ、固定レバー１６が噛み合う、三つの溝１１ｎを有する。溝付きのシャフト１１ｎは、例えば、丸いシャフト、または、六角形のシャフトとして形成されてもよい。六角形のシャフトとしての形状は、溝付きのシャフト１１ｎがレンチにより固定可能である、という利点を有する。1"の最長対角線に対しては、例えば、22のレンチサイズが選択される。
【００３２】
固定レバー１６は、第一及び第二のレバーアームを有する、Ｔ字型の角度レバーとして形成され、第二のレバーアームが、第一のレバーアームからロックナット１４の方向へ突出し、第一のレバーアームを長い区画と短い区画とに分割する。長い区画の端部は、固定装置１が固定位置にある場合に、巻き取りコア２１の内壁を圧する、突出する加圧部材１６ｄとして形成される。短い区画は、固定装置１が固定位置にある場合に、溝付きシャフト１１の溝１１の底部を圧する、湾曲する端部１６ｂを有する。
【００３３】
固定レバー１６の第二のレバーアームは、湾曲した中間部によりリングナット１２の保持凹部１２ａに旋回可能に取り付けられる、保持及び位置決めアームとして形成される。保持凹部１２ａは、カバーリング１２ｄにより、カバーされる。固定レバー１６の第二のレバーアームの端部は、ロックナット１４の位置決め凹部１４ａに噛み合う。
【００３４】
固定装置１が開放位置の場合、固定レバー１６の第一のレバーアームは、その長手方向の側で、溝１１ｎの底部に載る（図３ａ参照）。前方調整ディスク１５が時計方向に回転されると、ロックナット１４が、後方調整ディスク１３から遠ざかり、同時に、固定レバー１６を旋回し、その結果、固定レバー１６が、上述した固定位置となり、第一のレバーアームが、加圧部材１６ｄにより、巻き取りコア２１の内壁で支持されるとともに、湾曲する端部１６ｂにより、溝付きシャフト１１の溝の底部１１ｎで支持され、固定力を形成する。120°オフセットされた、三つの固定レバーの配置により、同時に、巻き取りコア２１が、これにより、溝付きシャフト１１に対して同軸化され、その結果、巻き取りコア２１の長手方向軸と、溝付きシャフト１１の長手方向軸とが、一直線上となる（図３ｂ参照）。
【００３５】
図４、図５ａ及び図５ｂは、3"の内径を備える巻き取りコア２１を受け支え、固定するために提供される、固定装置の第二の実施形態を示す。
【００３６】
図４、図５ａ及び図５ｂでは、固定装置１は、図３ａ及び図３ｂで上述した固定装置と同様に形成され、図４に示すように、固定装置１が、さらに、スペーサーディスク１７、三つの摩擦部材１８、Ｏリング１８ｏ、及び支持ディスク１９を含む点が異なる。
【００３７】
スペーサーディスク１７は、リングナット１２に堅固に固定されて回転し、摩擦部材１８を収容する、半径方向に120°オフセットされて配置される、三つのガイド凹部を有する。摩擦部材１８は、固定レバー１６と相互に作用し、固定レバー１６からの固定力を巻き取りコア２１の内壁に伝えるように、配置される。摩擦部材１８は、その外壁に、摩擦部材１８の周囲を囲み、開放位置では溝付きシャフト１１の方向に押し戻る、Ｏリング１８ｏを収容する、収容溝を有する。Ｏリング１８ｏは、一方では、摩擦部材１８を開放位置に押し戻し、他方では、固定位置において、摩擦部材１８と巻き取りコア２１との間の摩擦係数を増す、ゴム弾性材料から成ることが好ましい。
【００３８】
実験で示されたように、二つの実施形態において、略1 kNの固定力が設定可能である。必要な固定力は、とりわけ、巻き取りコア２１の材料の摩擦係数に依存する。巻き取りコア２１の材料として、ボール紙または樹脂が用いられることが好ましい。固定装置１、特に、固定レバー１６及び摩擦部材１８の材料としては、鋼が好ましい。また、適切な強度の樹脂が、材料として提供されてもよい。
【００３９】
図４に示す実施形態、及び、図３ａ及び図３ｂで上述した実施形態の双方において、カバーリング１２ｄは、スタッドねじとして形成される固定ねじ１２ｓが噛み合う、半径方向のねじ穴を有する。この固定ねじは、固定装置が開放位置の場合、固定装置１を溝付きシャフト１１上に固定する。このことは、固定装置を開放位置にしてフィルムロールを交換する度に、固定装置が溝付きシャフト１１上を滑ってしまっていたことで、固定装置の位置を調整する必要がないことから、取り扱いを容易にする。固定ねじがなくても固定装置は機能するため、固定ねじ１２ｓは任意である。しかしながら、固定ねじ１２ｓなしでは、フィルムロール２を交換する度に、固定装置は、各フィルムロール２の回収に必要な溝付きシャフト上の所望の水平位置を「見失う」。
【符号の説明】
【００４０】
１      固定装置
２      フィルムロール
１１    溝付きシャフト
１１ｎ  溝
１２    リングナット
１２ａ  保持凹部
１２ｄ  カバーリング
１２ｓ  固定ねじ
１３    後方調整ディスク
１３ｓ  固定ねじ
１４    ロックナット
１５    前方調整ディスク
１５ｍ  マーク
１６    固定レバー
１６ｂ  湾曲する端部
１６ｄ  加圧部材
１７    スペーサーディスク
１８    摩擦部材
１８ｏ  Ｏリング
１９    支持ディスク
２１    巻き取りコア
２２    フィルムリール
【図１】
2016503371.tif 000003
【図２】
2016503371.tif 000004
【図３ａ】
2016503371.tif 000005
【図３ｂ】
2016503371.tif 000006
【図４】
2016503371.tif 000007
【図５ａ】
2016503371.tif 000008
【図５ｂ】
2016503371.tif 000009
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
フィルムロール（２）を受け支えて固定するための固定装置（１）であって、
巻き取りコア（２１）と、前記巻き取りコア（２１）上に配置されるフィルムリール（２２）とを含み、前記固定装置（１）が、前記フィルムロール（２）が前記固定装置（１）に挿入可能であり、または、前記固定装置（１）から取り外し可能である、開放位置から、前記フィルムロール（２）が前記固定装置（１）に固定される、固定位置へ、移行可能であり、
前記固定装置（１）が、同じ角距離オフセットされて長手方向に配置される溝（１１ｎ）を備える溝付きシャフト（１１）と、リングナット（１２）及びロックナット（１４）から形成されるねじ機構と、同じ角距離半径方向にオフセットされて配置される固定レバー（１６）と、を含み、
前記ねじ機構の駆動部材が、前記固定装置（１）が前記固定位置にある場合、前記固定レバー（１６）が、前記溝付きシャフト（１１）の前記溝（１１ｎ）の底部と前記巻き取りコア（２１）の内壁とを圧して、固定力を形成するように、前記固定レバー（１６）と相互に作用し、
前記溝付きのシャフト（１１）が、120°オフセットされて長手方向に配置される三つの溝（１１ｎ）を有し、該溝に、120°オフセットされて半径方向に配置される三つの固定レバー（１６）が噛み合い、
前記リングナット（１２）が、120°オフセットされて半径方向に配置される三つの溝形状の保持凹部（１２ａ）を有し、該保持凹部が前記固定レバー（１６）のピボット軸受けを形成するとともに、
前記ロックナット（１４）が、その外周面に、120°オフセットされて配置される三つの溝形状の位置決め凹部（１４ａ）を有し、該位置決め凹部に前記固定レバー（１６）が噛み合うこと、
を特徴とする固定装置。
【請求項２】
前記ロックナット（１４）が、前記ねじ機構の前記駆動部材であること、
を特徴とする請求項１に記載の固定装置。
【請求項３】
前記固定レバー（１６）が、第一のレバーアームと第二のレバーアームとを備えるＴ字型の角度レバーとして形成され、前記第二のレバーアームが、前記第一のレバーアームから突出し、前記第一のレバーアームを、長い区画と短い区画とに分割すること、
を特徴とする請求項１または２に記載の固定装置。
【請求項４】
前記固定レバー（１６）の前記第一のレバーアームの前記長い区画の端部が、突出する加圧部材（１６ｄ）として形成され、前記固定装置（１）が前記固定位置にある場合に、前記巻き取りコア（２１）の前記内壁を圧し、
前記固定レバー（１６）の前記第一のレバーアームの前記短い区画が、湾曲する端部（１６ｂ）を有し、前記固定装置（１）が前記固定位置にある場合に、前記溝付きシャフト（１１）の前記溝（１１ｎ）の前記底部を圧し、
前記固定レバー（１６）の前記第二のレバーアームの湾曲して突出する中間部が、前記リングナット（１２）の溝形状の前記保持凹部（１２ａ）と噛み合い、
前記固定レバー（１６）の前記第二のレバーアームの端部が、前記ロックナット（１４）の前記位置決め凹部と噛み合うこと、
を特徴とする請求項３に記載の固定装置。
【請求項５】
前記リングナット（１２）及び前記ロックナット（１４）のねじが、セルフロックねじとして形成されること、
を特徴とする請求項１から４のいずれか１項に記載の固定装置。
【請求項６】
前記固定装置（１）が、前方調整ディスク（１５）と、前記フィルムロール（２）に対向する後方調整ディスク（１３）とを有し、前記前方調整ディスク（１５）が、前記ロックナット（１４）に堅固に固定されて回転し、前記後方調整ディスク（１３）が、前記リングナット（１２）に堅固に固定されて回転すること、
を特徴とする請求項１から５のいずれか１項に記載の固定装置。
【請求項７】
前記前方調整ディスク（１５）が、前記後方調整ディスク（１３）より小さい半径を有すること、
を特徴とする請求項６に記載の固定装置。
【請求項８】
前記前方調整ディスク（１５）が、前記固定装置（１）の前記固定位置及び前記開放位置を設定するための、前記前方調整ディスク（１５）の回転方向を示すマーク（１５ｍ）を有すること、
を特徴とする請求項６または７に記載の固定装置。
【請求項９】
前記巻き取りコア（２１）の受け取り半径を拡大する拡張セットが、前記固定装置（１）に挿入可能であること、
を特徴とする請求項１から８のいずれか１項に記載の固定装置。
【請求項１０】
前記拡張セットが、前記リングナット（１２）に固定可能なスペーサーディスク（１７）と、前記溝付きシャフト（１１）に固定可能な支持ディスク（１９）とを含むこと、
を特徴とする請求項９に記載の固定装置。
【請求項１１】
前記スペーサーディスク（１７）が、摩擦部材（１８）を収容するための、120°オフセットされて配置される、三つの半径方向のガイド溝を有し、前記固定装置（１９）が前記固定位置にある場合に、該摩擦部材が、前記固定レバー（１６）により、前記巻き取りコア（２１）の前記内壁を圧し、固定力を形成すること、
を特徴とする請求項１０に記載の固定装置。
【請求項１２】
前記摩擦部材（１８）が、その外周に収容溝を有し、該収容溝に、前記摩擦部材（１８）の周囲を囲むＯリング（１８ｏ）が配置されること、
を特徴とする請求項１１に記載の固定装置。
【国際調査報告】
2016503371.tif 000010
2016503371.tif 000011
2016503371.tif 000012
2016503371.tif 000013